Podtech/llm-jp-corpus-v4-ja_patent huggingface dataset:
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
表示部および操作部と、
所定の演出を実行可能な演出実行手段と、を備え、
前記操作部には複数種類の態様があり、
前記操作部は、
遊技者による所定の操作に伴って、当該操作部の所定の部位が出現して、その態様が明らかになるものであり、
前記所定の演出には、前記表示部を用いて前記所定の部位の態様がどの種類の態様であるかを示唆する示唆演出があり、
前記演出実行手段は、
前記所定の部位の態様が明らかになるタイミングに基づき、前記示唆演出を実行するときがあることを特徴とする遊技機。
【請求項２】
請求項１に記載の遊技機であって、
前記演出実行手段は、
遊技者による前記操作部の前記所定の操作に応じて、前記示唆演出を実行するときがあることを特徴とする遊技機。
【請求項３】
請求項２に記載の遊技機であって、
前記示唆演出は、
実写による表示を用いた演出であることを特徴とする遊技機。
【請求項４】
請求項１から請求項３のいずれか１項に記載の遊技機であって、
所定の条件の成立時に、遊技者に有利な有利遊技状態に設定する設定手段を備え、
前記所定の部位の複数種類の態様には、第１の態様と第２の態様とがあり、
前記所定の操作で操作された前記操作部の前記所定の部位の態様が前記第１の態様である場合と、前記所定の操作で操作された前記操作部の前記所定の部位の態様が前記第２の態様である場合とで、その後に前記有利遊技状態に設定される確率が異なっていることを特徴とする遊技機。
【手続補正２】
【補正対象書類名】明細書
【補正対象項目名】０００５
【補正方法】変更
【補正の内容】
【０００５】
本発明の遊技機は、
表示部および操作部と、
所定の演出を実行可能な演出実行手段と、を備え、
前記操作部には複数種類の態様があり、
前記操作部は、
遊技者による所定の操作に伴って、当該操作部の所定の部位が出現して、その態様が明らかになるものであり、
前記所定の演出には、前記表示部を用いて前記所定の部位の態様がどの種類の態様であるかを示唆する示唆演出があり、
前記演出実行手段は、
前記所定の部位の態様が明らかになるタイミングに基づき、前記示唆演出を実行するときがあることを特徴とする。
【手続補正書】
【提出日】令和3年11月30日(2021.11.30)
【手続補正１】
【補正対象書類名】明細書
【補正対象項目名】００６３
【補正方法】変更
【補正の内容】
【００６３】
それ故に、本発明によれば、含浸溶液は、特定の貴金属の前駆体を含有する化合物と、貴金属を全く含有しないアンモニウム塩との両方を特許請求された割合で含有する。これにより、ゼオライトＩＺＭ−２の表面上および／またはそのミクロ細孔中の前記水素化機能基の優先的な局在化および触媒中、好ましくはゼオライト上の水素化機能基の均質な分配の両方が可能となる。
【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
杖状の歩行補助具の接地側端に、弾性を有する湾曲部材よりなる板バネ部を設けた、
ことを特徴とする歩行補助具。
【請求項２】
請求項１に記載の歩行補助具において、
中空管状のポール部の一端に、前記板バネ部が連結部材を用いて結合されている、
ことを特徴とする歩行補助具。
【請求項３】
請求項１に記載の歩行補助具において、
中空管状のポール部と前記板バネ部とが一体に形成されている、
ことを特徴とする歩行補助具。
【請求項４】
請求項３に記載の歩行補助具において、
前記板バネ部は平板状に形成されている、
ことを特徴とする歩行補助具。
【請求項５】
請求項１ないし４のいずれかに記載の歩行補助具において、
前記ポール部の上端にグリップ部が設けられ、該グリップ部の上端が、前記板バネ部材の接地点の略鉛直上に位置する、
ことを特徴とする歩行補助具。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
基材の基材面にリン酸カルシウム層を備える医療機器材料であって、
前記リン酸カルシウム層は、リン酸カルシウムからなり前記基材側とその反対の表面側とで組成を異にするとともに、前記基材側を結晶性ハイドロキシアパタイトとして前記表面側よりも緻密性を高められ、
前記基材側で生体内活性を有し前記表面側より溶解されにくく所定期間以上生体内で存在する骨伝導性を有し、前記表面側で生体内崩壊性を有し生体内で溶解し骨組織に置換される置換性を有することを特徴とする、医療機器材料。
【請求項２】
前記リン酸カルシウム層の前記表面側はアモルファスであることを特徴とする、請求項１記載の医療機器材料。
【請求項３】
前記リン酸カルシウム層の前記表面側は多孔質であることを特徴とする、請求項１又は２に記載の医療機器材料。
【請求項４】
前記リン酸カルシウム層は複数の層からなる積層構造を有することを特徴とする、請求項１乃至３のいずれか１項記載の医療機器材料。
【請求項５】
前記リン酸カルシウム層は、傾斜組成層、結晶性を傾斜変化させる層、緻密性を傾斜変化させる層のうちのいずれかであることを特徴とする、請求項１乃至４のいずれか１項記載の医療機器材料。
【請求項６】
前記リン酸カルシウム層の表面側は、リン酸三カルシウム、リン酸八カルシウム、リン酸水素カルシウム無水物、リン酸水素カルシウム水和物、リン酸四カルシウム、アモルファスリン酸カルシウムのうちのいずれか１つ以上からなることを特徴とする、請求項１乃至５６のいずれか１項記載の医療機器材料。
【請求項７】
請求項１に記載の基材の基材面にリン酸カルシウム層を備える医療機器材料の製造方法であって、
β―ＴＣＰからなるターゲットにアブレーションレーザを照射して、放出されるアブレーション粒子を前記基材面に付着させると同時にＨ２Ｏガスを吸着させて加水分解しハイドロキシアパタイトを成膜させつつ、加熱した前記基材上でアニーリングさせ結晶性を与える工程を含むことを特徴とする、医療機器材料の製造方法。
【請求項８】
前記基材を４００℃以上に加熱してアニーリングさせ前記結晶性を与えることを特徴とする、請求項７記載の医療機器材料の製造方法。
【請求項９】
前記Ｈ２Ｏガスの圧力を変化させる工程を含み、前記基材側から表面側に成膜することを特徴とする、請求項７記載の医療機器材料の製造方法。
【請求項１０】
前記基材に付着後の成膜物質の温度を変化させる工程を含み、前記基材側から表面側に成膜することを特徴とする、請求項７記載の医療機器材料の製造方法。
【請求項１１】
成膜する粒子の粒度分布を変化させる工程を含み、前記基材側から表面側に成膜することを特徴とする、請求項７記載の医療機器材料の製造方法。
【手続補正書】
【提出日】令和3年11月29日(2021.11.29)
【手続補正１】
【補正対象書類名】明細書
【補正対象項目名】０００２
【補正方法】変更
【補正の内容】
【０００２】
当りとなる確率に係る設定の示唆演出により遊技の興趣を向上させることができる遊技機がある。
【手続補正２】
【補正対象書類名】明細書
【補正対象項目名】０００４
【補正方法】変更
【補正の内容】
【０００４】
ところで、遊技機は演出を多様化して遊技の興趣の一層の向上を図る必要がある。
【手続補正３】
【補正対象書類名】明細書
【補正対象項目名】０００５
【補正方法】変更
【補正の内容】
【０００５】
１つの側面では、本発明は、興趣を高めることを目的とする。
【手続補正４】
【補正対象書類名】明細書
【補正対象項目名】０００６
【補正方法】変更
【補正の内容】
【０００６】
上記目的を達成するために、以下に示すような、遊技機が提供される。遊技機は、遊技者が操作可能な操作手段と、操作手段を演出動作させる操作部演出制御手段と、ゲームの結果が遊技者にとって有利な有利状態を発生することとなる当りとなるか否かを判定する当否判定手段と、当否判定手段で当りと判定される複数種類の当り確率のうちから何れかを設定可能とする確率設定手段と、を備える。操作手段には第１操作手段と第２操作手段とを含む。確率設定手段の設定内容に応じて、第１操作手段または第２操作手段を演出動作させる確率が異なる。
【手続補正５】
【補正対象書類名】明細書
【補正対象項目名】０００７
【補正方法】変更
【補正の内容】
【０００７】
１態様によれば、興趣を高めることができる。
【手続補正６】
【補正対象書類名】特許請求の範囲
【補正対象項目名】全文
【補正方法】変更
【補正の内容】
【特許請求の範囲】
【請求項１】
ゲームを実行制御可能なゲーム制御手段と、
遊技者が操作可能な操作手段と、
前記操作手段を演出動作させる操作部演出制御手段と、
前記ゲームの結果が遊技者にとって有利な有利状態を発生することとなる当りとなるか否かを判定する当否判定手段と、
前記当否判定手段で当りと判定される複数種類の当り確率のうちから何れかを設定可能とする確率設定手段と、を備え、
前記操作手段には第１操作手段と第２操作手段とを含み、
前記確率設定手段の設定内容に応じて、前記第１操作手段または前記第２操作手段を演出動作させる確率が異なる構成である、
遊技機。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
識別情報の変動表示を実行し、遊技者にとって有利な有利状態に制御可能な遊技機であって、
識別情報の変動表示を実行可能な変動表示実行手段と、
演出を実行可能な演出実行手段と、を備え、
変動表示の実行パターンとして、識別情報を一旦仮停止表示し、再度変動表示する再変動パターンを含み、
前記変動表示実行手段は、
前記再変動パターンを実行するときに、第１特殊識別情報を仮停止表示するときと、前記第１特殊識別情報よりも前記有利状態に制御される期待度が高い第２特殊識別情報を仮停止表示するときと、があり、
前記第１特殊識別情報について、所定のリーチ演出の開始前に仮停止表示するときがあり、前記所定のリーチ演出の開始後に仮停止表示するときがなく、
前記第２特殊識別情報について、前記所定のリーチ演出の開始前に仮停止表示するときと、前記所定のリーチ演出の開始後に仮停止表示するときと、があり、
前記演出実行手段は、
前記第１特殊識別情報が仮停止表示されることを示唆する第１示唆演出と、前記第２特殊識別情報が仮停止表示されることを示唆する第２示唆演出と、を実行可能であり、
前記所定のリーチ演出の開始前は、前記第１示唆演出および前記第２示唆演出を実行可能であり、
前記所定のリーチ演出の開始後は、前記第１示唆演出を実行せず、前記第２示唆演出を実行可能である、
ことを特徴とする遊技機。
【手続補正２】
【補正対象書類名】明細書
【補正対象項目名】０００９
【補正方法】変更
【補正の内容】
【０００９】
（Ａ）上記目的を達成するため、本発明に係る遊技機は、
識別情報の変動表示を実行し、遊技者にとって有利な有利状態に制御可能な遊技機であって、
識別情報の変動表示を実行可能な変動表示実行手段と、
演出を実行可能な演出実行手段と、を備え、
変動表示の実行パターンとして、識別情報を一旦仮停止表示し、再度変動表示する再変動パターンを含み、
前記変動表示実行手段は、
前記再変動パターンを実行するときに、第１特殊識別情報を仮停止表示するときと、前記第１特殊識別情報よりも前記有利状態に制御される期待度が高い第２特殊識別情報を仮停止表示するときと、があり、
前記第１特殊識別情報について、所定のリーチ演出の開始前に仮停止表示するときがあり、前記所定のリーチ演出の開始後に仮停止表示するときがなく、
前記第２特殊識別情報について、前記所定のリーチ演出の開始前に仮停止表示するときと、前記所定のリーチ演出の開始後に仮停止表示するときと、があり、
前記演出実行手段は、
前記第１特殊識別情報が仮停止表示されることを示唆する第１示唆演出と、前記第２特殊識別情報が仮停止表示されることを示唆する第２示唆演出と、を実行可能であり、
前記所定のリーチ演出の開始前は、前記第１示唆演出および前記第２示唆演出を実行可能であり、
前記所定のリーチ演出の開始後は、前記第１示唆演出を実行せず、前記第２示唆演出を実行可能である、
ことを特徴とする。
（１）上記目的を達成するため、他の態様に係る遊技機は、
識別情報（例えば、第１特別図柄や、第２特別図柄や、飾り図柄など）の変動表示を実行し、遊技者にとって有利な有利状態（例えば、大当り遊技状態）に制御可能な遊技機（例えばパチンコ遊技機１）であって、
識別情報の変動表示を実行可能な変動表示実行手段（例えば、遊技制御用マイクロコンピュータ１００のＣＰＵ１０３のステップＳ１１０〜１１３を実行する部分）を備え、
変動表示の実行パターンとして、識別情報を一旦仮停止表示し、再度変動表示する再変動パターン（例えば、擬似連演出を行う変動パターン）を含み、
前記変動表示実行手段は、前記再変動パターンを実行するときに、第１特殊識別情報（例えば、図９−７の弱擬似連図柄０２８ＳＨ１２０）を仮停止表示するときと、前記第１特殊識別情報よりも前記有利状態に制御される期待度が高い第２特殊識別情報（例えば、図９−８の強擬似連図柄０２８ＳＨ２２０）を仮停止表示するときと、があり、
前記第１特殊識別情報は、所定のリーチ演出（例えば、弱スーパーリーチ）の開始前に仮停止表示するときがあり（例えば、図９−７の（Ｃ）の強擬似連図柄０２８ＳＨ２２０の仮停止表示）、前記所定のリーチ演出の開始後に仮停止表示するときがなく、
前記第２特殊識別情報は、前記所定のリーチ演出の開始前に仮停止表示するときと（例えば、図９−８の（Ｃ）の強擬似連図柄０２８ＳＨ２２０の仮停止表示）、前記所定のリーチ演出の開始後に仮停止表示するときと（例えば、図９−９の（Ｅ）の強擬似連図柄０２８ＳＨ２２０の仮停止表示）、がある。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
識別情報の変動表示を実行し、遊技者にとって有利な有利状態に制御可能な遊技機であって、
識別情報の変動表示を実行可能な変動表示実行手段と、
演出を実行可能な演出実行手段と、
を備え、
変動表示の実行パターンとして、識別情報を一旦仮停止表示し、再度変動表示する再変動パターンを含み、
前記変動表示実行手段は、前記再変動パターンを実行するときに、第１特殊識別情報を仮停止表示するときと、前記第１特殊識別情報よりも前記有利状態に制御される期待度が高い第２特殊識別情報を仮停止表示するときと、があり、
前記演出実行手段は、
前記第１特殊識別情報が仮停止表示されることを示唆する第１示唆演出と、前記第２特殊識別情報が仮停止表示されることを示唆する第２示唆演出と、を実行可能であり、
所定のリーチ演出の開始前は、前記第１示唆演出および前記第２示唆演出を実行可能であり、
前記所定のリーチ演出の開始後は、前記第１示唆演出を実行せず、前記第２示唆演出を実行可能であり、
識別情報がリーチ状態となった後に実行される演出として、第１リーチ演出と、前記第１リーチ演出の後に実行され且つ前記第１リーチ演出よりも前記有利状態に制御される期待度が高い第２リーチ演出と、を少なくとも含み、
前記所定のリーチ演出は、前記第２リーチ演出である、
ことを特徴とする遊技機。
【手続補正２】
【補正対象書類名】明細書
【補正対象項目名】０００９
【補正方法】変更
【補正の内容】
【０００９】
（Ａ）上記目的を達成するため、本発明に係る遊技機は、
識別情報の変動表示を実行し、遊技者にとって有利な有利状態に制御可能な遊技機であって、
識別情報の変動表示を実行可能な変動表示実行手段と、
演出を実行可能な演出実行手段と、
を備え、
変動表示の実行パターンとして、識別情報を一旦仮停止表示し、再度変動表示する再変動パターンを含み、
前記変動表示実行手段は、前記再変動パターンを実行するときに、第１特殊識別情報を仮停止表示するときと、前記第１特殊識別情報よりも前記有利状態に制御される期待度が高い第２特殊識別情報を仮停止表示するときと、があり、
前記演出実行手段は、
前記第１特殊識別情報が仮停止表示されることを示唆する第１示唆演出と、前記第２特殊識別情報が仮停止表示されることを示唆する第２示唆演出と、を実行可能であり、
所定のリーチ演出の開始前は、前記第１示唆演出および前記第２示唆演出を実行可能であり、
前記所定のリーチ演出の開始後は、前記第１示唆演出を実行せず、前記第２示唆演出を実行可能であり、
識別情報がリーチ状態となった後に実行される演出として、第１リーチ演出と、前記第１リーチ演出の後に実行され且つ前記第１リーチ演出よりも前記有利状態に制御される期待度が高い第２リーチ演出と、を少なくとも含み、
前記所定のリーチ演出は、前記第２リーチ演出である、
ことを特徴とする。
（１）上記目的を達成するため、他の態様に係る遊技機は、
識別情報（例えば、第１特別図柄や、第２特別図柄や、飾り図柄など）の変動表示を実行し、遊技者にとって有利な有利状態（例えば、大当り遊技状態）に制御可能な遊技機（例えばパチンコ遊技機１）であって、
識別情報の変動表示を実行可能な変動表示実行手段（例えば、遊技制御用マイクロコンピュータ１００のＣＰＵ１０３のステップＳ１１０〜１１３を実行する部分）と、
演出を実行可能な演出実行手段（例えば、演出制御用ＣＰＵ１２０）と、を備え、
変動表示の実行パターンとして、識別情報を一旦仮停止表示し、再度変動表示する再変動パターン（例えば、擬似連演出を行う変動パターン）を含み、
前記変動表示実行手段は、前記再変動パターンを実行するときに、第１特殊識別情報（例えば、図９−７の弱擬似連図柄０２８ＳＨ１２０）を仮停止表示するときと、前記第１特殊識別情報よりも前記有利状態に制御される期待度が高い第２特殊識別情報（例えば、図９−８の強擬似連図柄０２８ＳＨ２２０）を仮停止表示するときと、があり、
前記演出実行手段は、前記第１特殊識別情報が仮停止表示されることを示唆する第１示唆演出（例えば、図９−７の（Ｂ）の弱煽り演出）と、前記第２特殊識別情報が仮停止表示されることを示唆する第２示唆演出（例えば、図９−８の（Ｂ）の強煽り演出）と、を実行可能であり、
所定のリーチ演出（例えば、弱スーパーリーチ）の開始前は、前記第１示唆演出および前記第２示唆演出を実行可能であり、
前記所定のリーチ演出の開始後は、前記第１示唆演出を実行せず、前記第２示唆演出（図９−９の（Ｄ）の強煽り演出）を実行可能である。
【手続補正書】
【提出日】令和3年10月23日(2021.10.23)
【手続補正１】
【補正対象書類名】特許請求の範囲
【補正対象項目名】全文
【補正方法】変更
【補正の内容】
【特許請求の範囲】
【請求項１】
光ファイバーである第１繊維と光ファイバーでない第２繊維とが織られ、光を放出する第１領域と、
前記第１領域に隣接し、前記第１繊維が織られていない第２領域と、
前記第２領域と隣接し、前記第１繊維と光源が接続された第３領域と、を含む織物であり、
前記第２領域では、前記第１繊維の上層に別の繊維があり保護されている織物。
【請求項２】
前記光源は複数あり、発光色が異なる光源であり、
前記第１繊維は複数あり、前記光源に繋がり、それぞれ、その光源の発光色を発し、
前記第２領域では、前記複数の第１繊維は、前記発光色ごとに異なる層間に位置する請求項１記載の織物。
【請求項３】
前記光源は複数あり、赤色、黄色、青色の光源であり、
前記第２領域では、前記複数の第１繊維は、前発光色ごとに異なる層間に位置する請求項１記載の織物。
【請求項４】
前記複数の第１繊維は、配列され、前記配列の順に、前記異なる発光色の光源に接続されている請求項２または３記載の織物。
【請求項５】
前記第１領域は、２層構造であり、
表部の層は、前記第１繊維と前記第２繊維とが織られた層であり、
裏部の層は、前記第１繊維を含まず、前記第２繊維と前記第４繊維とが織られた層であり、
前記第２領域は、前記裏部の層があり、その上部に前記第１繊維が、織られずに存在し、前記第１繊維の上に、前記第１繊維を保護する前記第４繊維が位置する請求項１〜４のいずれか１項に記載の織物。
【請求項６】
前記第２領域では、
前記第２繊維と第３繊維とが織られた第１層と、
前記第２繊維と第３繊維とが織られた第２層と、
前記第１層と前記第２層間に位置する前記第１繊維と、を含む請求項１〜５のいずれか１項に記載の織物。
【請求項７】
さらに、前記第１繊維を固定する固定領域を有し、
前記固定領域では、
前記第２繊維と、前記第１繊維、前記第３繊維とが、織られ、
前記第１繊維間に前記第３繊維が位置する請求項１〜６のいずれか１項に記載の織物。
【請求項８】
前記固定領域では、前記第１繊維は、前記第２繊維の３本の裏部に位置し、１本の表部に位置する周期を繰り返えす領域である請求項７に記載の織物。
【請求項９】
前記第１領域では、
前記第２繊維と第３繊維とが織られた表側の第１層と、
前記第２繊維と第３繊維とが織られた裏側の第２層と、があり、
前記１繊維の内、光を外へ放出する前記第１繊維は、前記第１層に位置し、
前記１繊維の内、光を外へ放出しない前記第１繊維は、前記第１層と前記第２層との間に位置する請求項１〜４のいずれか１項に記載の織物。
【請求項１０】
前記第１領域では、前記第１繊維が前記第２繊維の１２本または１３本の表部に位置し、
１本の裏部に位置することを繰り返す請求項１〜９のいずれか１項に記載の織物。
【請求項１１】
前記第１繊維が織られていない前記第２領域が、前記第１領域内に位置する請求項１〜１０のいずれか１項に記載の織物。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
利益付与に係る抽選を行う抽選手段と、
各種演出画像が所定の表示優先度に基づき表示される表示手段と、
前記抽選手段による抽選結果に基づいて図柄変動表示を行う図柄変動手段と、
前記図柄変動手段による図柄変動表示の実行数を示す特別表示を、通常表示態様から前記利益付与に関する期待度を示唆する期待度態様へと変化させうる特別演出手段と、を備え、
前記特別演出手段は、
前記特別表示の態様を、該特別表示が通常表示態様で表示されたときの表示優先度のままで期待度態様へと変化させる第１特別演出と、
前記特別表示の態様を、該特別表示が通常表示態様で表示されたときの表示優先度から異なる表示優先度へ変更したのちに期待度態様へと変化させる第２特別演出と、を実行可能であり、
前記特別表示が通常表示態様で表示されたときの表示優先度のままで該特別表示を期待度態様へと変化させる前記第１特別演出の実行確率と、前記特別表示が通常表示態様で表示されたときの表示優先度から異なる表示優先度へ変更したのちに該特別表示を期待度態様へと変化させる前記第２特別演出の実行確率とが異なるようにし、
前記期待度態様には複数の態様があり、
前記特別表示が通常表示態様で表示されたときの表示優先度のままで該特別表示を期待度態様へと変化させる前記第１特別演出においてのみ出現可能とされる特定期待度態様を有し、
前記特別表示の表示優先度が変更される際、該特別表示について特定の移動表示が可能である
ことを特徴とする遊技機。
【手続補正２】
【補正対象書類名】明細書
【補正対象項目名】０００２
【補正方法】変更
【補正の内容】
【０００２】
近年、保留画像を表示可能な表示手段を備えた遊技機が知られている（例えば、特許文献１）。
【手続補正３】
【補正対象書類名】明細書
【補正対象項目名】０００３
【補正方法】変更
【補正の内容】
【０００３】
【特許文献１】特開２０１４−２３９７２９号公報
【手続補正４】
【補正対象書類名】明細書
【補正対象項目名】０００４
【補正方法】変更
【補正の内容】
【０００４】
このような遊技機においては、表示手段において保留画像を表示するにあたって実行される表示制御について改善の余地があった。
【手続補正５】
【補正対象書類名】明細書
【補正対象項目名】０００５
【補正方法】変更
【補正の内容】
【０００５】
本発明は、保留画像の表示について好適な表示制御を実行することが可能な遊技機を提供することを目的とする。
【手続補正６】
【補正対象書類名】明細書
【補正対象項目名】０００６
【補正方法】変更
【補正の内容】
【０００６】
［手段１］に係る遊技機は、
利益付与に係る抽選を行う抽選手段と、
各種演出画像が所定の表示優先度に基づき表示される表示手段と、
前記抽選手段による抽選結果に基づいて図柄変動表示を行う図柄変動手段と、
前記図柄変動手段による図柄変動表示の実行数を示す特別表示を、通常表示態様から前記利益付与に関する期待度を示唆する期待度態様へと変化させうる特別演出手段と、を備え、
前記特別演出手段は、
前記特別表示の態様を、該特別表示が通常表示態様で表示されたときの表示優先度のままで期待度態様へと変化させる第１特別演出と、
前記特別表示の態様を、該特別表示が通常表示態様で表示されたときの表示優先度から異なる表示優先度へ変更したのちに期待度態様へと変化させる第２特別演出と、を実行可能であり、
前記特別表示が通常表示態様で表示されたときの表示優先度のままで該特別表示を期待度態様へと変化させる前記第１特別演出の実行確率と、前記特別表示が通常表示態様で表示されたときの表示優先度から異なる表示優先度へ変更したのちに該特別表示を期待度態様へと変化させる前記第２特別演出の実行確率とが異なるようにし、
前記期待度態様には複数の態様があり、
前記特別表示が通常表示態様で表示されたときの表示優先度のままで該特別表示を期待度態様へと変化させる前記第１特別演出においてのみ出現可能とされる特定期待度態様を有し、
前記特別表示の表示優先度が変更される際、該特別表示について特定の移動表示が可能である
ことを特徴とする遊技機である。
【手続補正７】
【補正対象書類名】明細書
【補正対象項目名】０００７
【補正方法】変更
【補正の内容】
【０００７】
本発明によれば、保留画像の表示について好適な表示制御を実行することが可能な遊技機を提供することができる。
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
利用者が載る載置台の縁に配置される手摺り本体部と、
前記載置台の幅方向を軸とする回転軸を有し、前記手摺り本体部に備えられた軸部と、
前記軸部に挿入され、回転することで、前記軸部と共に前記手摺り本体部を回転させ、
前記手摺り本体部が前記載置台の載置面よりも上方に張り出した使用状態、または、前記手摺り本体部が前記載置面よりも下方に収められた不使用状態に変化させる操作部と、を有する、
ことを特徴とする手摺り。
【請求項２】
前記使用状態において、前記操作部が、前記載置台から離れる方向に、前記手摺り本体部に対して引っ張られることで、前記不使用状態に変化することが可能な解除状態となり、
この解除状態において、前記操作部が、前記載置台に向けて、前記手摺り本体部に対して押されることで、前記不使用状態に変化することが不可能な規制状態となる、
ことを特徴とする請求項１に記載された手摺り。
【請求項３】
前記不使用状態において、前記操作部が、前記載置台から離れる方向に、前記手摺り本体部と共に引っ張られることで、前記使用状態に変化することが可能な解除状態となり、
この解除状態において、前記操作部が、前記載置台に向けて、前記手摺り本体部と共に押されることで、前記使用状態に変化することが不可能な規制状態となる、
ことを特徴とする請求項２に記載された手摺り。
【請求項４】
前記使用状態において、前記手摺り本体部が前記載置台から離れる方向に移動することを規制する移動規制部を有する、
ことを特徴とする請求項１から請求項３のいずれか１項に記載された手摺り。
【請求項５】
前記操作部が、前記手摺り本体部に対して前記載置台の外側に配置された把持部を有し、この把持部が、前記載置台の幅方向における前記手摺り本体部の厚みの範囲内に収められる、
ことを特徴とする請求項１から請求項４のいずれか１項に記載された手摺り。
【請求項６】
前記載置台を幅方向から視した状態において、前記手摺り本体部が、前記操作部の表面よりも広い板状である、
ことを特徴とする請求項１から請求項５のいずれか１項に記載された手摺り。
【請求項７】
前記把持部が、前記手摺り本体部の幅方向に向けて長手であり、
前記操作部の回転による前記把持部の向きと、前記手摺り部本体の幅方向の向きとが、前記使用状態、前記不使用状態、および、前記使用状態と前記不使用状態との変化の過程において、一致している、
ことを特徴とする請求項５または請求項６に記載された手摺り。
【請求項８】
前記軸部に長孔が形成され、
前記操作部が、前記軸部と交差する方向に向けて突出すると共に前記長孔に通された突部を有し、
前記突部と、この突部が嵌合する溝部が形成された規制本体部とから構成され、前記操作部の回転を規制する回転規制部を有する、
ことを特徴とする請求項１から請求項７のいずれか１項に記載された手摺り。
【請求項９】
請求項１から請求項８のいずれか１項に記載された手摺りを有する、
ことを特徴とするベッド。
【手続補正書】
【提出日】令和3年12月4日(2021.12.4)
【手続補正１】
【補正対象書類名】特許請求の範囲
【補正対象項目名】全文
【補正方法】変更
【補正の内容】
【特許請求の範囲】
【請求項１】
一端側に底部を有した有底形状であり、他端側が開口部とされ、被処理材料を収納可能な第１容器と、
該第１容器を内部空間に収納した状態で、内部空間を加圧可能な第２容器であって、前記第１容器の底部及び側壁部に対向する第１壁部、並びに、前記第１容器の開口部に対向する第２壁部を有する第２容器と、
を含み、
前記第１壁部の少なくとも一部に設けられる特定部の破壊強度は、前記第２壁部の破壊強度より、弱く構成される処理容器。
【請求項２】
前記特定部を設けられていない前記第１壁部の破壊強度は、前記特定部の破壊強度より強く構成される請求項１に記載の処理容器。
【請求項３】
前記特定部の破壊強度は、当該特定部の厚さを、前記第２壁部の厚さ未満にされること、及び／又は、当該特定部を構成する材質を、前記第２壁部を構成する材質と異なるものにされることで、前記第２壁部の破壊強度より弱く構成され、当該特定部の厚さを、前記特定部を設けられていない前記第１壁部の厚さ未満にされること、及び／又は、当該特定部を構成する材質を、前記特定部を設けられていない前記第１壁部を構成する材質と異なるものにされることで、前記特定部を設けられていない前記第１壁部の破壊強度より弱く構成される、請求項２に記載の処理容器。
【請求項４】
前記処理容器は、遠心機に含まれて、前記第１壁部の少なくとも一部を露出する窓を有する自転体に保持されるものであり、
前記特定部は、前記窓により露出する位置にある前記第１壁部の少なくとも一部に設けられる請求項１〜３の何れか１項に記載の処理容器。
【請求項５】
前記特定部は、前記第１容器の軸方向長さを１００とした場合に、該第１容器の底部から７０の範囲に対向する前記第１壁部の少なくとも一部に設けられる請求項１〜４の何れか１項に記載の処理容器。
【請求項６】
請求項１〜５の何れか１項に記載の処理容器を保持可能に構成されて、自転軸線を中心に自転可能な自転体と、
前記自転体を保持して、公転軸線を中心に回転可能な公転体と、
前記公転体及び前記自転体に回転力を付与する駆動部と、
を含む遠心機。
【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
ポリエステル樹脂（Ａ）と、該ポリエステル樹脂（Ａ）１００重量部に対し、下記の一般式（１）で示される臭素系難燃剤（Ｂ）１〜８０重量部と、ガラス繊維（Ｃ）１０〜１００重量部と、アンチモン系難燃助剤（Ｄ）１〜３０重量部と、を含んでなることを特徴とするポリエステル樹脂組成物。
【化１】
2020105433.tif 000001
（式中、Ｒ１は、Ｃ１〜Ｃ６のアルキレン基、−Ｓ−、又は−ＳＯ２−を示す。Ｒ２は、Ｃ２〜Ｃ４のアルキレン基を示す。ｎは、平均値として１以上であり、臭素系難燃剤（Ｂ）の標準ポリスチレン換算における重量平均分子量が５７２以上となる数を示す。）
【請求項２】
ポリエステル樹脂（Ａ）が、ポリブチレンテレフタレートであることを特徴とする請求項１に記載のポリアミド樹脂組成物。
【請求項３】
無機強化剤（Ｃ）がガラス繊維であることを特徴とする請求項１又は２に記載のポリエステル樹脂組成物。
【請求項４】
アンチモン系難燃助剤（Ｄ）が三酸化アンチモンであることを特徴とする請求項１〜３のいずれかに記載のポリエステル樹脂組成物。
【請求項５】
さらに、滴下防止剤（Ｅ）を、ポリエステル樹脂（Ａ）１００重量部に対し、０．１〜１０重量部含むことを特徴とする請求項１〜４のいずれかに記載のポリアミド樹脂組成物。
【請求項６】
滴下防止剤（Ｅ）が、ポリテトラフルオロエチレンであることを特徴とする請求項５に記載のポリアミド樹脂組成物。
【請求項７】
請求項１〜６のいずれかに記載のポリエステル樹脂組成物で形成された成形体。
【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
心臓の中隔の組織に穿孔を形成するための医療機器であって、
チューブ状であり、導電性金属で構成される細長い部材であって、前記細長い部材は、近位端部と遠位端部を有し、前記近位端部と前記遠位端部の間に延在するルーメンを規定する、細長い部材と、
前記細長い部材の前記遠位端部に関連付けられた造影用マーカーと、を有し、
前記造影用マーカーは、前記細長い部材の前記遠位端部の遠位にあり、電気エネルギーを送達することにより前記組織を穿孔するための電極を規定する、医療機器。
【請求項２】
前記造影用マーカーの全体が前記電極を規定する、請求項１に記載の医療機器。
【請求項３】
前記医療機器が、前記遠位端部に関して前記ルーメンと流体連通している開口部を規定する、請求項１に記載の医療機器。
【請求項４】
前記開口部が、長手方向に伸びている、請求項３に記載の医療機器。
【請求項５】
前記細長い部材が電気的な絶縁層によって被覆されている、請求項１に記載の医療機器。
【請求項６】
前記造影用マーカーの全体が電気的に露出している、請求項５に記載の医療機器。
【請求項７】
前記造影用マーカーに対して近位かつ隣接する前記細長い部材の遠位部分が一定の外径を有する、請求項４に記載の医療機器。
【請求項８】
前記造影用マーカーがＸ線不透過性である、請求項１に記載の医療機器。
【請求項９】
前記造影用マーカーが、白金、イリジウム、金、パラジウム、タングステン、および、それらの合金からなる群から選択されるＸ線不透過性金属を含む、請求項８に記載の医療機器。
【請求項１０】
前記造影用マーカーが、白金およびイリジウムを含む、請求項９に記載の医療機器。
【請求項１１】
前記電極がドーム形または半球形の部分を有する、請求項１に記載の医療機器。
【請求項１２】
少なくとも部分的に前記開口部に重なり合う絶縁層を更に有する、請求項３に記載の医療機器。
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）であって、
送受信機と、
前記送受信機に動作可能に接続されたプロセッサと、を備え、
前記送受信機および前記プロセッサは、第１の非アクティブタイマ、第２の非アクティブタイマ、前記第１の非アクティブタイマと関連付けられた少なくとも１つの第１のコンポーネントキャリア、および前記第２の非アクティブタイマと関連付けられた少なくとも１つの第２のコンポーネントキャリアを示す情報を受信するように構成され、
前記送受信機および前記プロセッサは、前記第２の非アクティブタイマに基づいて、前記少なくとも１つの第２のコンポーネントキャリアに対して物理ダウンリンク制御チャネル（ＰＤＣＣＨ）を監視し、前記第１の非アクティブタイマに基づいて、前記少なくとも１つの第１のコンポーネントキャリアに対してＰＤＣＣＨを監視するように構成されている、
ことを特徴とするＷＴＲＵ。
【請求項２】
前記受信された情報は、上位層シグナリングによって受信される、ことを特徴とする請求項１に記載のＷＴＲＵ。
【請求項３】
前記送受信機および前記プロセッサは、前記監視されたＰＤＣＣＨの１つにおいてＰＤＳＣＨ割り付けを受信し、前記１つのＰＤＣＣＨに対して遅延した時間にＰＤＳＣＨを受信するように構成されている、ことを特徴とする請求項１に記載のＷＴＲＵ。
【請求項４】
前記送受信機および前記プロセッサは、前記ＰＤＳＣＨの受信の後の予め定められた時間間隔においてハイブリッド自動再送要求（ＨＡＲＱ）フィードバックを送信するように構成されている、ことを特徴とする請求項３に記載のＷＴＲＵ。
【請求項５】
前記ＰＤＳＣＨ割り付けは、前記１つのＰＤＣＣＨが受信されたコンポーネントキャリアとは異なるコンポーネントキャリアに対するものである、ことを特徴とする請求項３に記載のＷＴＲＵ。
【請求項６】
前記少なくとも１つの第２のコンポーネントキャリアは、複数のコンポーネントキャリアであり、前記少なくとも１つの第１のコンポーネントキャリアは、複数のコンポーネントキャリアである、ことを特徴とする請求項１に記載のＷＴＲＵ。
【請求項７】
無線送受信装置（ＷＴＲＵ）によって実施される方法であって、
第１の非アクティブタイマ、第２の非アクティブタイマ、前記第１の非アクティブタイマと関連付けられた少なくとも１つの第１のコンポーネントキャリア、および前記第２の非アクティブタイマと関連付けられた少なくとも１つの第２のコンポーネントキャリアを示す情報を受信するステップと、
前記第２の非アクティブタイマに基づいて、前記少なくとも１つの第２のコンポーネントキャリアに対して物理ダウンリンク制御チャネル（ＰＤＣＣＨ）を監視し、前記第１の非アクティブタイマに基づいて、前記少なくとも１つの第１のコンポーネントキャリアに対してＰＤＣＣＨを監視するステップと、
を備えたことを特徴とする方法。
【請求項８】
前記受信された情報は、上位層シグナリングによって受信される、ことを特徴とする請求項７に記載の方法。
【請求項９】
前記監視されたＰＤＣＣＨの１つにおいてＰＤＳＣＨ割り付けを受信し、前記１つのＰＤＣＣＨに対して遅延した時間にＰＤＳＣＨを受信するステップを更に備えた、ことを特徴とする請求項７に記載の方法。
【請求項１０】
前記ＰＤＳＣＨの受信の後の予め定められた時間間隔においてハイブリッド自動再送要求（ＨＡＲＱ）フィードバックを送信するステップを更に備えた、ことを特徴とする請求項９に記載の方法。
【請求項１１】
前記ＰＤＳＣＨ割り付けは、前記１つのＰＤＣＣＨが受信されたコンポーネントキャリアとは異なるコンポーネントキャリアに対するものである、ことを特徴とする請求項９に記載の方法。
【請求項１２】
前記少なくとも１つの第２のコンポーネントキャリアは、複数のコンポーネントキャリアであり、前記少なくとも１つの第１のコンポーネントキャリアは、複数のコンポーネントキャリアである、ことを特徴とする請求項７に記載の方法。
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
電子部品を一定の間隔で収納する搬送テープと補給テープの搬送方向に一定の間隔で形成された送り穴に係合するスプロケットの回転駆動によって、挿入部から挿入された前記搬送テープと前記補給テープを搬送路に沿って送り移動させ、取出し部において前記電子部品を取り出し可能に供給するフィーダであって、
前記スプロケットよりも前記挿入部側において前記搬送テープあるいは前記補給テープの前記送り穴に係合可能な係合部材と、
操作力を受けて前記係合部材を強制的に上方移動させて、前記係合部材と前記搬送テープあるいは前記補給テープの送り穴の係合を解除する解除部材と、
前記搬送テープの上方に挿入された前記補給テープを対象として、前記補給テープの端部の位置を定めるストッパー部材とを備え、
前記係合部材は、
前記補給テープの前記送り穴に係合して当該補給テープの前記挿入部側への移動を規制しつつ、前記取出し部側への移動を許容し、
前記解除部材は、前記操作力を加えられた場合に、前記補給テープの前記送り穴から前記係合部材を離脱させて当該補給テープの前記搬送路に沿った移動を許容し、
前記スプロケットおよび前記ストッパー部材は、前記補給テープが前記ストッパー部材により前記取出し部側への移動を規制された際に前記スプロケットに係合しないよう構成されるフィーダ。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
少なくとも１本の線心と、
前記線心を被覆するシースと、を備え、
前記シースは、天然ゴムおよびエチレンプロピレンゴムが配合されたブレンドゴムで形成されている
ことを特徴とするキャブタイヤケーブル。
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
異なる複数の色からヘアカラーを選択するための画面を表示する第１選択肢、及び、異なる複数の明るさからヘアカラーを選択するための画面を表示する第２選択肢を表示する選択肢表示手段と、
選択したヘアカラーを実現できるヘアカラー材料のレシピを生成する生成手段と
を備えるコンピュータ装置。
【請求項２】
第１選択肢の選択を受け付ける第１選択肢受付手段と、
第１選択肢を受け付けると、異なる複数の色からヘアカラーを選択するための画面を表示する、請求項１に記載のコンピュータ装置。
【請求項３】
第２選択肢の選択を受け付ける第２選択肢受付手段と、
第２選択肢を受け付けると、異なる複数の明るさからヘアカラーを選択するための画面を表示する、請求項１又は２に記載のコンピュータ装置。
【請求項４】
顧客の毛量の入力を受け付ける毛量受付手段と
を備える、請求項１〜３のいずれかに記載のコンピュータ装置。
【請求項５】
ヘアカラーの種類が白髪染めであるか、又は、おしゃれ染めであるかを受け付けるヘアカラー種類受付手段と
を備える、請求項１〜４のいずれかに記載のコンピュータ装置。
【請求項６】
コンピュータ装置を、
異なる複数の色からヘアカラーを選択するための画面を表示する第１選択肢、及び、異なる複数の明るさからヘアカラーを選択するための画面を表示する第２選択肢を表示する選択肢表示手段と、
選択したヘアカラーを実現できるヘアカラー材料のレシピを生成する生成手段
として機能させる、プログラム。
【請求項７】
少なくとも１のコンピュータ装置を備えるシステムであって、
異なる複数の色からヘアカラーを選択するための画面を表示する第１選択肢、及び、異なる複数の明るさからヘアカラーを選択するための画面を表示する第２選択肢を表示する選択肢表示手段と、
選択したヘアカラーを実現できるヘアカラー材料のレシピを生成する生成手段と
を備えるシステム。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
顧客が購入する商品の登録を行う登録装置と、前記登録装置で登録された商品の決済を行う決済装置と通信可能なサーバ装置であって、
前記登録装置で登録された一取引分の商品の内訳を含む決済用情報と、前記商品の登録時に前記登録装置で読み取られた前記顧客を識別する識別情報とを対応付けて記憶部に記憶し、前記登録装置で前記識別情報が読み取られると、当該識別情報に対応する前記決済用情報を前記登録装置に送信し、前記決済用情報に基づき前記登録装置で行われた決済の内訳を示す決済情報を前記識別情報に対応付けて前記記憶部に記憶する管理手段と、
前記記憶部に記憶された前記決済用情報、前記識別情報及び前記決済情報に基づいて、商品の購買傾向を分析する分析手段と、
前記分析手段の分析結果に応じた付加情報を、当該付加情報の種別に応じた提供方法で、前記顧客に提供する提供手段と、
を備え、
前記提供手段は、取引が行われているタイミングで適用可能な付加情報については、前記登録装置又は前記決済装置を介して提供し、次回以降の取引で適用可能な付加情報については、前記顧客に対応付けられた連絡先に前記付加情報を送信する、サーバ装置。
【請求項２】
前記分析手段は、商品の購買傾向を顧客毎に分析し、
前記提供手段は、前記分析手段の分析結果に応じた付加情報を、当該付加情報の種別に応じた提供方法で、該当する前記顧客に提供する、請求項１に記載のサーバ装置。
【請求項３】
前記分析手段は、前記顧客の特性に基づいて商品の購買傾向を顧客の特性毎に分析し、
前記提供手段は、前記分析手段の分析結果に応じた付加情報を、当該付加情報の種別に応じた提供方法で、該当する特性の前記顧客に提供する、請求項１に記載のサーバ装置。
【請求項４】
顧客が購入する商品の登録を行う登録装置と、前記登録装置で登録された商品の決済を行う決済装置と通信可能なサーバ装置のコンピュータを、
前記登録装置で登録された一取引分の商品の内訳を含む決済用情報と、前記商品の登録時に前記登録装置で読み取られた前記顧客を識別する識別情報とを対応付けて記憶部に記憶し、前記登録装置で前記識別情報が読み取られると、当該識別情報に対応する前記決済用情報を前記登録装置に送信し、前記決済用情報に基づき前記登録装置で行われた決済の内訳を示す決済情報を前記識別情報に対応付けて前記記憶部に記憶する管理手段と、
前記記憶部に記憶された前記決済用情報、前記識別情報及び前記決済情報に基づいて、商品の購買傾向を分析する分析手段と、
前記分析手段の分析結果に応じた付加情報を、当該付加情報の種別に応じた提供方法で、前記顧客に提供する提供手段と、
して機能させ、
前記提供手段は、取引が行われているタイミングで適用可能な付加情報については、前記登録装置又は前記決済装置を介して提供し、次回以降の取引で適用可能な付加情報については、前記顧客に対応付けられた連絡先に前記付加情報を送信する、プログラム。
【手続補正２】
【補正対象書類名】明細書
【補正対象項目名】発明の名称
【補正方法】変更
【補正の内容】
【発明の名称】サーバ装置及びプログラム
【手続補正３】
【補正対象書類名】明細書
【補正対象項目名】０００１
【補正方法】変更
【補正の内容】
【０００１】
本発明の実施形態は、サーバ装置及びプログラムに関する。
【手続補正４】
【補正対象書類名】明細書
【補正対象項目名】０００６
【補正方法】変更
【補正の内容】
【０００６】
実施形態のサーバ装置は、顧客が購入する商品の登録を行う登録装置と、前記登録装置で登録された商品の決済を行う決済装置と通信可能なサーバ装置であって、前記登録装置で登録された一取引分の商品の内訳を含む決済用情報と、前記商品の登録時に前記登録装置で読み取られた前記顧客を識別する識別情報とを対応付けて記憶部に記憶し、前記登録装置で前記識別情報が読み取られると、当該識別情報に対応する前記決済用情報を前記登録装置に送信し、前記決済用情報に基づき前記登録装置で行われた決済の内訳を示す決済情報を前記識別情報に対応付けて前記記憶部に記憶する管理手段と、前記記憶部に記憶された前記決済用情報、前記識別情報及び前記決済情報に基づいて、商品の購買傾向を分析する分析手段と、前記分析手段の分析結果に応じた付加情報を、当該付加情報の種別に応じた提供方法で、前記顧客に提供する提供手段と、を備え、前記提供手段は、取引が行われているタイミングで適用可能な付加情報については、前記登録装置又は前記決済装置を介して提供し、次回以降の取引で適用可能な付加情報については、前記顧客に対応付けられた連絡先に前記付加情報を送信する。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
外部サーバーまたは画像処理装置に保存されたファイルを一覧表示し、
一覧表示された前記ファイルから複数のファイルを選択し、選択した前記複数のファイルを前記画像処理装置で印刷する、または送信先に送信する機能を有する画像処理装置であって、
前記機能が選択され実行指示された処理の履歴を生成する生成手段と、
生成された前記履歴を用いた前記機能の再実行の指示を受け付ける受付手段と、を有することを特徴とする画像処理装置。
【請求項２】
前記受付手段によって再実行の指示が受け付けられると、
前記複数のファイルのうちで前記外部サーバーまたは前記画像処理装置に保存されているファイルに対し、前記機能を用いた処理を実行することを特徴とする請求項１に記載の画像処理装置。
【請求項３】
前記外部サーバーまたは前記画像処理装置に保存されていない一部のファイルを含む前記複数のファイルに対して前記機能の再実行が指示された場合、
前記複数のファイルのうちで前記一部のファイル以外のファイルに対して前記処理を実行することを特徴とする請求項１または２に記載の画像処理措置。
【請求項４】
前記外部サーバーまたは前記画像処理装置に保存されていない一部のファイルを含む前記複数のファイルに対して前記機能の再実行が指示された場合、
前記複数のファイルのうちで前記一部のファイル以外のファイルに対して前記処理を実行する際に用いられる設定情報を設定する設定画面が表示されることを特徴とする請求項１乃至３のいずれか一項に記載の画像処理装置。
【請求項５】
前記受付手段によって再実行の指示が受け付けられた際に、
前記複数のファイルのうちで一部のファイルが前記外部サーバーまたは前記画像処理装置に保存されていないと、前記一部のファイルが前記外部サーバーまたは前記画像処理装置に保存されていない旨がユーザーに通知される請求項１乃至４のいずれか一項に記載の画像処理装置。
【請求項６】
前記受付手段によって再実行の指示が受け付けられた際に、
前記複数のファイルすべてが前記外部サーバーまたは前記画像処理装置に保存されていない場合、前記外部サーバーまたは前記画像処理装置が管理する文書保存先を選択させるための画面が表示されることを特徴とする請求項１乃至５のいずれか一項に記載の画像処理装置。
【請求項７】
前記処理が実行指示された際に指定されている前記複数のファイルを識別する識別情報が前記履歴に関連づいており、
前記機能の再実行の指示が受け付けられた際には、前記履歴に関連づく前記識別情報を特定することを特徴とする請求項１乃至６のいずれか一項に記載の画像処理装置。
【請求項８】
前記受付手段は、
前記機能が選択され実行指示されると表示されるソフトキーである請求項１乃至７のいずれか一項に記載の画像処理装置。
【請求項９】
前記ソフトキーは、
前記画像処理装置が有する機能を起動させるためのファンクションキーとともに表示されることを特徴とする請求項８に記載の画像処理装置。
【請求項１０】
前記画像処理装置は、
前記機能と、前記機能とは別の機能を有し、
前記機能を用いた処理の再実行を受け付ける第一のソフトキー、および前記別の機能を用いた処理の再実行を受け付ける第二のソフトキーを同じ表示画面上に表示可能であることを特徴とする請求項１乃至９のいずれか一項に記載の画像処理装置。
【請求項１１】
外部サーバーまたは画像処理装置に保存されたファイルを一覧表示し、
一覧表示された前記ファイルから複数のファイルを選択し、選択した前記複数のファイルを前記画像処理装置で印刷する、または送信先に送信する機能を有する画像処理装置の制御方法であって、
前記機能が選択され実行指示された処理の履歴を生成する生成ステップと、
生成された前記履歴を用いた前記機能の再実行の指示を受け付ける受付ステップを有することを特徴とする画像処理装置の制御方法。
【請求項１２】
コンピュータに、
外部サーバーまたは画像処理装置に保存されたファイルを一覧表示し、
一覧表示された前記ファイルから複数のファイルを選択し、選択した前記複数のファイルを前記画像処理装置で印刷する、または送信先に送信する機能を有する画像処理装置として機能させるためのプログラムであって、
前記機能が選択され実行指示された処理の履歴を生成する生成手段と、
生成された前記履歴を用いた前記機能の再実行の指示を受け付ける受付手段を有することを特徴とする画像処理装置として機能させるためのプログラム。
【手続補正書】
【提出日】令和3年10月12日(2021.10.12)
【手続補正１】
【補正対象書類名】特許請求の範囲
【補正対象項目名】請求項１
【補正方法】変更
【補正の内容】
【請求項１】
リールと、
ストップスイッチとを有し、
設定変更により設定値を変更可能とし、
複数回の単位遊技のストップスイッチの操作態様に関する情報を記憶可能とし、
複数回の単位遊技のストップスイッチの操作態様に関する情報は、設定変更によって初期化されない
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明（第５１実施形態）は、
リール（３１）と、
ストップスイッチ（４２）とを有し、
設定変更により設定値を変更可能とし、
複数回の単位遊技（たとえば、スタートスイッチ４１が操作された時から、全リール３１が停止するまで（遊技媒体の付与がある場合には遊技媒体の付与処理が終了するまで））のストップスイッチの操作態様に関する情報（図５１５中、毎遊技記憶するログのうち、押し順の情報や停止受付位置の情報）を記憶可能とし、
複数回の単位遊技のストップスイッチの操作態様に関する情報は、設定変更によって初期化されない
ことを特徴とする。